(57)【特許請求の範囲】
【請求項１】
多角形の横断面形状を有するプレキャストコンクリート製の柱構成材の建て込みに用いるエレクションピースであって、
第１の板部材と、該第１の板部材に固定された第２の板部材とを含み、
前記第２の板部材が、前記柱構成材の互いに隣接する２つの側面の交差角度に等しい角度で交差する２つの面であって前記柱構成材の互いに隣接する２つの側面に当接する位置に置かれる２つ面を規定する、エレクションピース。
【請求項２】
前記第２の板部材は前記２つの面の一方に直交する複数のボルト穴と他方の面に直交する複数のボルト穴とを有する、請求項１に記載のエレクションピース。
【請求項３】
前記第１の板部材及び前記第２の板部材は、それぞれ、平板及び山形の板からなり、前記山形の板はその外角部又はその外角部の近傍において前記平板の側縁に溶接されている、請求項１に記載のエレクションピース。
【請求項４】
さらに、前記第１の板部材と前記第２の板部材とに固定された１又は複数の板状の補強リブを有する、請求項１に記載のエレクションピース。
【請求項５】
多角形の横断面形状を有するプレキャストコンクリート製の柱構成材の建て込みに用いるエレクションピースであって、
第１の板部材と、該第１の板部材に固定された第２の板部材とを含み、
前記第１の板部材の一部と前記第２の板部材とが前記柱構成材の互いに隣接する２つの側面の交差角度に等しい角度で交差する２つの面であって前記柱構成材の互いに隣接する２つの側面に当接する位置に置かれる２つ面を規定する、エレクションピース。
【請求項６】
前記第１の板部材の一部は前記２つの面の一方に直交する複数のボルト穴を有し、また、前記第２の板部材は前記２つの面の他方に直交する複数のボルト穴を有する、請求項５に記載のエレクションピース。
【請求項７】
前記第１の板部材及び前記第２の板部材は、それぞれ、山形の板及び平板からなり、前記平板はその側縁において前記山形の板の外角部の近傍に溶接されている、請求項５に記載のエレクションピース。
【請求項８】
前記第１の板部材は一の平板からなり、また、前記第２の板部材は他の平板からなり、前記他の平板はその側縁において前記一の平板の表面に角度をなして配置されかつ溶接されている、請求項５に記載のエレクションピース。
【請求項９】
さらに、前記第１の板部材と前記第２の板部材とに固定された１又は複数の補強リブを有する、請求項５に記載のエレクションピース。
【請求項１０】
多角形の横断面形状を有するコンクリート製の柱構成材の建て込みに用いるエレクションピースの前記柱構成材への取付構造であって、
前記エレクションピースは第１の板部材と、該第１の板部材に固定された第２の板部材とを含み、前記第２の板部材が前記柱構成材の互いに隣接する２つの側面の交差角度に等しい角度で交差する２つの面であって前記柱構成材の互いに隣接する２つの側面に当接する位置に置かれる２つ面を規定し、
前記取付構造は、
前記柱構成材に埋設され、前記柱構成材の互いに隣接する２つの側面にそれぞれ開放する、ねじ溝を有する複数のインサートと、
前記エレクションピースの第２の板部材に設けられ、該第２の板部材の２つの面の一方に直交する複数のボルト穴及び他方に直交する複数のボルト穴と、
前記エレクションピースの各ボルト穴に通されかつ各インサートに螺合されるボルトとを含む、取付構造。
【請求項１１】
多角形の横断面形状を有するコンクリート製の柱構成材の建て込みに用いるエレクションピースの前記柱構成材への取付構造であって、
前記エレクションピースは第１の板部材と、該第１の板部材に固定された第２の板部材とを含み、前記第１の板部材の一部と前記第２の板部材とが前記柱構成材の互いに隣接する２つの側面の交差角度に等しい角度で交差する２つの面であって前記柱構成材の互いに隣接する２つの側面に当接する位置に置かれる２つ面を規定し、
前記取付構造は、
前記柱構成材に埋設され、前記柱構成材の互いに隣接する２つの側面にそれぞれ開放する、ねじ溝を有する複数のインサートと、
前記エレクションピースの第１の板部材の一部に設けられ前記２つの面の一方に直交する複数のボルト穴及び前記第２の板部材に設けられ前記２つの面の他方に直交する複数のボルト穴と、
前記エレクションピースの各ボルト穴に通されかつ各インサートに螺合されるボルトとを含む、取付構造。
【請求項１２】
前記柱構成材の２つの側面の一方に開放するインサートと他方に開放するインサートとは、前記柱構成材の内部において連結部材を介して互いに連結されている、請求項１０又は１１に記載の取付構造。
【請求項１３】
前記柱構成材の２つの側面の一方に開放するインサート及び他方に開放するインサートは、前記柱構成材の内部において互いに反対方向へ湾曲して伸びる先端部を有する、請求項１０又は１１に記載の取付構造。
【請求項１４】
前記柱構成材の２つの側面の一方に開放するインサート及び他方に開放するインサートは、前記柱構成部材の内部において互いに連通している、請求項１０又は１１に記載の取付構造。
【発明の詳細な説明】
【技術分野】
【０００１】
本発明は、柱を構築するために互いに継ぎ足される複数の柱構成材の個々の建て込みに用いるエレクションピースと、前記柱構成材に前記エレクションピースを取り付けるための取付構造とに関する。ここにおいて、前記柱構成材はプレキャストコンクリート（PCa）からなり、また、矩形のような多角形の横断面形状を有する。
【背景技術】
【０００２】
複数の柱構成材を継ぎ足してなる柱の構築においては、先に建て込まれた柱構成材（下柱構成材）に継ぎ足される柱構成材（上柱構成材）の傾きの調整、目違いの調整、高さの調整等（位置の調整）が行われる。この位置の調整は、前記下柱構成材に対して前記上柱構成材を変位させることにより行われる。
【０００３】
従来、鉄骨製の柱構成材において、その位置の調整のために鉄鋼材料からなるエレクションピースが用いられている（後記特許文献１参照）。前記エレクションピースは平板からなり、該平板の側縁において、その複数対が前記下柱構成材の上端部（柱頭部）と前記上柱構成材の下端部（柱脚部）とに溶接により取り付けられる。
【０００４】
前記上柱構成材の変位は、前記下柱構成材の柱頭部に位置するエレクションピース（下エレクションピース）を反力支持体として前記上柱構成材の柱脚部に位置するエレクションピース（上エレクションピース）に外力を負荷することにより行われる。前記外力の負荷のために、通常、上下各対のエレクションピースに調整装置が取り付けられる。
【０００５】
このような用途を有する前記エレクションピースは、前記鉄骨製の柱構成材についてだけでなく、プレキャストコンクリート製の柱構成材についても適用することが考えられる。プレキャストコンクリート製の柱構成材に適用されるエレクションピースとして、例えば、２つの平板からなるＴ形のエレクションピース、すなわち一の平板と該一の平板の表面に直交するように溶接された他の平板とからなるものが考えられる。このＴ形のエレクションピースによれば、その一の平板が、その他の平板を介して、プレキャストコンクリート製の柱構成材の側面に上下方向へ伸びるように取り付けられ、前記一の平板は上柱構成材に変位を生じさせるための外力の導入部として、また、前記調整装置の取付部としての働きをなす。ここにおいて、プレキャストコンクリート製の柱構成材への前記他の平板の固定のためにボルトを使用し、また、前記ボルトを受け入れ可能であるインサートをプレキャストコンクリート製の柱構成材に予め埋設しておくことが考えられる。
【０００６】
ところで、プレキャストコンクリート製の柱構成材を使用する建築においては、前記柱構成材の継ぎ位置が従前に比べてより低い位置に設定される場合がある。この場合には、前記柱構成材の一側面上における前記エレクションピースの配置領域として利用される梁の上方領域が狭く、このために前記配置領域を前記梁の側方領域とする必要がある。しかし、前記柱構成材が矩形のような多角形の横断面形状を有するときは、前記梁から前記柱構成材の一側面に隣接する他の側面までの距離が比較的短く、このために前記側方領域もまた前記エレクションピースの配置領域とすることが困難である場合がある。
【先行技術文献】
【特許文献】
【０００７】
【特許文献１】特開２０１０−１２１３９６号公報
【発明の概要】
【発明が解決しようとする課題】
【０００８】
本発明は、多角形の横断面形状を有するプレキャストコンクリート製の柱構成材に適用されるエレクションピースを提供し、また、前記プレキャストコンクリート製の柱構成材に前記エレクションピースを取り付けるための取付構造を提供することを目的とする。
【課題を解決するための手段】
【０００９】
本発明は、多角形の横断面形状を有するプレキャストコンクリート製の柱構成材の建て込みに用いるエレクションピースに係り、該エレクションピースは、第１の板部材と、該第１の板部材に固定された第２の板部材とを含む。
【００１０】
ここにおいて、前記第２の板部材が、前記柱構成材の互いに隣接する２つの側面の交差角度に等しい角度で交差する２つの面を規定し（第１の例）、あるいは、前記第１の板部材の一部と前記第２の板部材とが、前記柱構成材の互いに隣接する２つの側面の交差角度に等しい角度で交差する２つの面を規定する（第２の例）。
【００１１】
前記第１の例によれば、前記エレクションピースを構成する第２の板部材が前記柱構成材の互いに隣接する２つの側面の交差角度に等しい角度で交差する２つの面を有し、前記エレクションピースを、その２つの面が前記柱構成材の２つの側面に当接する位置に置くこと、すなわち前記柱構成材の２つの側面の交差部である外角部（コーナー部）に配置することができる。他方、前記エレクションピースの第１の板部材は、前記柱構成材の位置の調整のために負荷される外力の導入部としての機能を担い、また、前記調整装置の取付部としての機能を担う。
【００１２】
また、前記第２の例によれば、前記エレクションピースを構成する第１の板部材の一部と第２の板部材とが前記柱構成材の互いに隣接する２つの側面の交差角度に等しい角度で交差する２つの面を有し、前記エレクションピースを、その２つの面が前記柱構成材の２つの側面に当接する位置に置くこと、すなわち前記柱構成材の２つの側面の交差部である外角部（コーナー部）に配置することができる。他方、前記エレクションピースの第１の板部材の他の一部は、前記柱構成材の位置の調整のために負荷される外力の導入部としての機能を担い、また、前記調整装置の取付部としての機能を担う。
【００１３】
前記エレクションピースの前記柱構成材のコーナー部への配置を可能とすることにより、前記柱構成材の継ぎ位置の高さ位置が比較的低いために前記柱構成材に取り付けられる梁の上方空間が比較的狭く、あるいは前記梁から前記柱構成材のコーナー部までの距離が比較的短いために前記梁の側方の空間が比較的狭い場合にあっても、前記エレクションピースの前記柱構成材への取付を可能とすることができる。
【００１４】
前記第１の例における第２の板部材がその２つの面のそれぞれに直交する複数のボルト穴を有するものとし、また、前記第２の例における第１の板部材の一部と第２の板部材とがこれらに規定される２つの面に直交する複数のボルトをそれぞれ有するものとすることができる。前記第１の例によれば、前記第２の板部材を、各ボルト穴に通されるボルトを介して、前記柱構成材の２つの側面に固定することができる。また、前記第２の例によれば、前記第１の板部材の一部と前記第２の板部材とを、各ボルト穴に通されるボルトを介して、前記柱構成材の２つの側面に固定することができる。
【００１５】
前記第１の例における第１の板部材及び第２の板部材は、それぞれ、平板及び山形の板で構成され、前記山形の板がその外角部において前記平板の側縁に溶接されたものとすることができる。また、前記第２の例における第１の板部材及び第２の板部材は、それぞれ、山形の板及び平板で構成され、前記平板がその側縁において前記山形の板の外角部の近傍に溶接されたものとすることができる。前記第２の例においては、この例に代えて、前記第１の板部材及び前記第２の板部材が、それぞれ、一の平板及び他の平板で構成され、前記他の平板が前記一の平板の表面にこれと角度をなすように配置されかつ溶接されたものとすることができる。
【００１６】
また、前記第１の例及び前記第２の例の双方において、前記第１の板部材と前記第２の板部材とに固定された１又は複数の板状の補強リブを有するものとすることが好ましい。これによれば、前記第１の板部材に外力が負荷されたときの前記第２の板部材の変形を抑制することができる。
【００１７】
本発明は、さらに、前記第１の例に係るエレクションピースを前記柱構成材にとりつける取付構造（第１の例）と、前記第２の例に係るエレクションピースを前記柱構成材に取り付ける取付構造（第２の例）とを提供する。
【００１８】
前記第１の例に係るエレクションピースの取付構造は、前記柱構成材に埋設され、前記柱構成材の互いに隣接する２つの側面にそれぞれ開放する、ねじ溝を有する複数のインサートと、前記エレクションピースの第２の板部材に設けられ前記２つの面のそれぞれに直交する複数のボルト穴と、各ボルト穴に通されかつ各インサートに螺合されるボルトとを含む。
【００１９】
前記取付構造によれば、前記柱構成材のコーナー部に配置された前記エレクションピースはその第２の板部材のボルト穴を経て前記インサートに螺合されるボルトを介して前記柱構成材に取り付けることができる。また、前記ボルトを緩めてこれらを前記インサート及び前記ボルト穴から抜き去ることにより、前記柱構成材から前記エレクションピースを取り外すことができる。取り外されたエレクションピースは、これを再使用に供することができる。また、前記柱構成材に埋設された前記インサートはこれを摘出することなく前記柱構成材の一部とすることができる。
【００２０】
また、前記第２の例に係るエレクションピースの取付構造は、前記柱構成材に埋設され、前記柱構成材の互いに隣接する２つの側面にそれぞれ開放する、ねじ溝を有する複数のインサートと、前記エレクションピースの第１の板部材の一部と前記第２の板部材とにそれぞれ設けられ、これらが規定する２つの面のそれぞれに直交する複数のボルト穴と、各ボルト穴に通されかつ各インサートに螺合されるボルトとを含む。
【００２１】
前記取付構造によれば、前記柱構成材のコーナー部に配置された前記エレクションピースはその第１の板部材の一部及び第２の板部材のそれぞれのボルト穴を経て前記インサートに螺合されるボルトを介して前記柱構成材に取り付けることができる。また、前記ボルトを緩めてこれらを前記インサート及び前記ボルト穴から抜き去ることにより、前記柱構成材から前記エレクションピースを取り外すことができる。取り外されたエレクションピースは、これを再使用に供することができる。また、前記柱構成材に埋設された前記インサートはこれを摘出することなく前記柱構成材の一部とすることができる。
【００２２】
前記第１の例に係るエレクションピースの取付構造及び前記第２の例に係るエレクションピースの取付構造の双方において、前記柱構成材の２つの側面の一方に開放するインサートと他方に開放するインサートが、前記柱構成材の内部において連結部材を介して互いに連結されたものとすることができる。これによれば、前記連結部材は各インサートのアンカーの役割を果たす。
【００２３】
また、前記第１の例に係るエレクションピースの取付構造及び前記第２の例に係るエレクションピースの取付構造の双方において、前記柱構成材の２つの側面の一方に開放するインサート及び他方に開放するインサートが、前記柱構成材の内部において互いに反対方向へ湾曲して伸びる先端部を有するものとすることができる。これによれば、湾曲する前記先端部が各インサートのアンカーの役割を果たす。
【００２４】
さらに、前記第１の例に係るエレクションピースの取付構造及び前記第２の例に係るエレクションピースの取付構造の双方において、前記柱構成材の２つの側面の一方に開放するインサート及び他方に開放するインサートが、前記柱構成部材の内部において互いに連通するものとすることができる。これによれば、両インサートの連通部が各インサートのアンカーの役割を果たす。
【図面の簡単な説明】
【００２５】
【図１】プレキャストコンクリート製の下方の柱構成材及び上方の柱構成材及びこれらの柱構成材に取り付けられた複数対のエレクションピースの斜視図である。
【図２】上方の柱構成材に取り付けられるエレクションピースの斜視図である。
【図３】上方の柱構成材に取り付けられるエレクションピースの他の方向から見た斜視図である。
【図４】図１に示すエレクションピースの変形例の平面図である。
【図５】図１に示すエレクションピースの他の変形例の平面図である。
【図６】柱構成材へのエレクションピースの取付構造の平面図である。
【図７】上下の両柱構成材に取り付けられた２対のエレクションピースの側面図である。
【図８】他の例の取付構造を示す、図６に示すと同様の平面図である。
【図９】さらに他の例の取付構造を示す、図６に示すと同様の平面図である。
【図１０】図１に示すエレクションピースに対応するエレクションピースの変形例を示す平面図である。
【図１１】図４に示すエレクションピースに対応するエレクションピースの変形例を示す平面図である。
【図１２】図５に示すエレクションピースに対応するエレクションピースの変形例を示す平面図である。
【発明を実施するための形態】
【００２６】
図１を参照すると、柱を構築するために先に建て込まれ（配置され）、建て込み（配置）を完了した柱構成材（下柱構成材）と、該下柱構成材に継ぎ足される柱構成材（上柱構成材）とがそれぞれ符号１０，１２で示されている。上柱構成材１２は下柱構成材１０上への建て込みの途上にある。
【００２７】
両柱構成材１０，１２はそれぞれプレキャストコンクリートからなり、多角形の横断面形状を有する。図示の両柱構成材１０，１２はそれぞれ矩形の横断面形状を有し、該矩形の横断面を規定する４つの側面２０を有する。また、下柱構成材１０の柱頭部には、後に構築される梁の一部とされる鉄骨製の複数の梁構成材２１が接合されている。図示の梁構成材２１は、下柱構成材１０の柱頭部の比較的高い位置に配置されている。
【００２８】
上下の両柱構成材１０，１２には、下柱構成材１０に対する上柱構成材１２の傾きの調整、目違いの調整、高さの調整等（位置の調整）を行うために用いられる、本発明の一例に係る鉄鋼材料製の複数対（図示の例では４対）の上下のエレクションピース１４，１６が取り付けられている。
【００２９】
上エレクションピース１６には、図１で見て上方へ伸びるロッド２２が取り付けられている。ロッド２２は、上柱構成材１２の前記位置の調整を行うために各対の両エレクションピース１４，１６に取り付けられる調整装置１８の取付状態の解除及びこれに伴う両エレクションピース１４，１６からの落下を防止するために必要に応じて取り付けられる。
【００３０】
各対の両エレクションピース１４，１６は、ロッド２２を除いて、同一の外形又は形態を有する。対をなす両エレクションピース１４，１６は、これらが上下に対称をなすように、下柱構成材１０の上端部（柱頭部）及び上柱構成材１２の下端部（柱脚部）にそれぞれ配置される。
【００３１】
図２及び図３に示すように、各エレクションピース１４，１６は第１の板部材２４と、該第１の板部材に固定された第２の板部材２６とを有する。
【００３２】
図示の例では、前記エレクションピースの第１の板部材２４は平板からなる。前記平板は、両端縁２８，３０と、該両端縁に連なる側縁３２とを有する。図１で見て、第１の板部材２４の両端縁２８，３０は互いに上下に位置し、側縁３２は上下方向に直線的に伸びている。
【００３３】
また、前記エレクションピースの第２の板部材２６は山形の板からなり、同一形状の２つの板部３４を有する。両板部３４は、柱構成材１０，１２の互いに隣接する２つの側面２０が交差する角度（図示の例では９０度）と同一の交差角度を有する２つの面３３を規定する。したがって、２つの面３３は前記柱構成部材の２つの側面２０にそれぞれ当接可能である。これにより、各エレクションピース１４，１６は、第２の板部材２６を介して、各柱構成材１０，１２の２つの側面２０の交差部であるコーナー部に配置可能とされている。前記コーナー部に配置された第２の板部材２６は適当な固定手段を用いて、好ましくは後記取付構造５６を介して、前記柱構成材に固定される。
【００３４】
山形を呈する第２の板部材２６は、図示の例ではアングル鋼材からなる。第２の板部材２６は、図示の例に代えて、例えば２つに折り曲げられた平板、２つの板が互いに角度をなすようにこれらの側縁で溶接されたものとすることができる。
【００３５】
ところで、本明細書の冒頭で説明したＴ形エレクションピースは、前記柱構成材の一側面２０上における梁構成材２１の上方領域Ａ又は梁構成材２１の側方領域Ｂ（図１）に配置される。しかし、前記したように梁構成材２１が比較的高い位置にあり（したがって柱構成材の継ぎ位置が比較的低い位置にあり）、梁構成材２１から下柱構成材１０の頭頂面までの距離が前記Ｔ形エレクションピースの上下方向の長さ寸法より小さいときは、前記Ｔ形エレクションピースを上方領域Ａに配置することができない。このため、このときは、前記Ｔ形エレクションピースは側方領域Ｂに配置される。しかし、梁構成材２１の幅寸法の大きさによっては、梁構成材２１と下柱構成材１０の一側面２０およびこれに隣接する他の側面２０の境界４０との間の距離が比較的小さく、このため、前記Ｔ形エレクションピースを側方領域Ｂに配置したとき、前記Ｔ形エレクションピースの他の平板と下柱構成材１０の境界４０との間に十分な間隔が確保されない場合がある。この場合には、前記Ｔ形エレクションピースに外力が加えられたときに該Ｔ形エレクションピースを保持する下柱構成材１０のコンクリートにひび割れや、あるいは剥離が生じるおそれがある。このため、実際には、前記Ｔ形エレクションピースの側方領域Ｂへの配置は困難である。
【００３６】
これに対し、本発明の一例に係る各エレクションピース１４，１６は、前記したように、前記上方領域Ａ又は側方領域Ｂとは異なる各柱構成材１０，１２のコーナー部への配置が可能である。このことから、前記Ｔ形エレクションピースにおいて生じることがある事態、すなわち前記柱構成材へのエレクションピースの配置の困難を回避することができる。
【００３７】
前記エレクションピースの第２の板部材２６を構成する図示の両板部３４はそれぞれ矩形の外形を有するところ、これに代えて他の形状の外形を有するものとし、また、互いに異なる外形を有するものとすることができる。第２の板部材２６は第１の板部材２４の側縁３２と等しい長さ寸法を有する外角部３６、すなわち両板部３４の境界を規定する外角部３６を有する。外角部３６の長さ寸法は、この例に代えて、必要に応じて、第１の板部材２４の側縁３２の長さ寸法より小さいもの又は大きいものに設定することができる。
【００３８】
前記山形の板（第２の板部材２６）は、その外角部３６が前記平板（第１の板部材２４）の側縁３２に当接した状態で、前記平板に溶接され、隅肉３８を介して前記平板と一体にされている。したがって、エレクションピース１４，１６がそれぞれ柱構成部材１０，１２に取り付けられるとき、第１の板部材２４は各柱構成材１０，１２の互いに隣接する両側面２０の境界又は稜線４０に沿って上下方向へ伸びる。第１の板部材２４は、上柱構成材１２の下柱構成材１０に対する前記位置の調整のための外力の導入部及び調整装置１８の取付部として機能する。
【００３９】
また、図２及び図３に示す例では、前記山形の板（第２の板部材２６）の両板部３４の一方と前記平板（第１の板部材２４）とのなす角度と、他方の板部３４と前記平板（第１の板部材２４）とのなす角度とが等しいように設定されている。しかし、必要に応じて、前記平板（第１の板部材２４）と各板部３４（第２の板部材２６）とのなす２つの角度が互いに異なるように設定することができる（図４及び図５参照）。
【００４０】
上柱構成材１２は、下柱構成材１０上への建て込みのため、例えばクレーン（図示せず）により吊持される。上柱構成材１２の柱頭部には、該上柱構成材の建て込みに先立ち、下柱構成材１０の上エレクションピース１４と同様の上エレクションピース（図示せず）が取り付けられている（図示せず）。また、各エレクションピース１４，１６には、その第１の板部材２４に孔４３が設けられている。孔４３は、上柱構成材１２の吊持の際に用いられるワイヤ（図示せず）を通すためのワイヤ挿通用孔として利用される。上柱構成材１２を吊持する間に、各対のエレクションピース１４，１６の第１の板部材２４に調整装置１８が取り付けられる。調整装置１８の取付により、各対のエレクションピース１４，１６がこれらの第１の板部材２４において相互に連結され、これにより下柱構成材１０に対する上柱構成材１２の自立が確保される。
【００４１】
調整装置１８は、図１で見て、上下に細長いリング部材４４を有する。リング部材４４は上エレクションピース１６の第１の板部材２４の上端縁２８に掛けられ、両エレクションピース１４，１６の第１の板部材２４の一部を受け入れる。リング部材４４には互いに相対する一対のボルト４６（その１つのみが図示されている）と、１つのボルト４８とが螺合されている。一対のボルト４６は下エレクションピース１４の第１の板部材２４に対してその両表面に相対している。図示の調整装置１８は、さらに、傾き調整機構５０を有する。
【００４２】
調整装置１８によれば、次のようにして上柱構成材１２の位置の調整を行うことができる。例えば、一対のボルト４６の一方をねじ込んでこれを下エレクションピース１４の第１の板部材２４の両表面の一方に当て、かつ他方ボルト４６を緩めることにより、下エレクションピース１４を反力支持体としてリング部材４４を水平に移動させることができる。水平に移動するリング部材４４は上エレクションピース１６の第１の板部材２４に当たり、これに水平方向力を及ぼす。その結果、上エレクションピース１６と一体をなす上柱構成材１２が下柱構成材１０に対して変位し、上柱構成材１２の位置の調整（目違い調整）が行われる。
【００４３】
また、１つのボルト４８はこれをねじ込んで下エレクションピース１４の第１の板部材２４の下端縁３０に押し当てることにより、リング部材４４を各対の上下のエレクションピース１４，１６を相互に連結、固定することができる。その結果、上柱構成材１２が下柱構成材１０上に自立した状態におかれる。
【００４４】
傾き調整機構５０はリング部材４４を通して下エレクションピース１４の第１の板部材２４の上端縁２８と上エレクションピース１６の第１の板部材２４の下端縁３０との間との間に配置されている。傾き調整機構５０の操作により加えられる外力を下エレクションピース１４（したがって下柱構成材１０）を反力支持体として、上エレクションピース１６（したがって上柱構成材１２）に負荷し、これにより上柱構成材１２を上昇させ、又は反対に下降させることができる。これにより下柱構成材１０に対する上柱構成材１２の傾きや高さ位置を調整することができる。
【００４５】
調整装置１８の操作に伴って前記外力を受ける各エレクションピース１４，１６の第２の板部材２６の変形を抑制するため、各エレクションピースが、第１の板部材２４を構成する前記平板と第２の板部材２６を構成する前記山形の板とに固定された複数の補強リブ４９を有するもの（図２及び図４）、又は１つ補強リブ４９を有するもの（図５）とすることが望ましい。
【００４６】
図２及び図３を参照すると、第２の板部材２６の両板部３４のそれぞれに複数（図示の例では２つ）のボルト穴５２が設けられている。より詳細には、各板部３４の２つのボルト穴５２は、図２で見て上下方向に整列して配置されている。
ボルト穴５２は、前記エレクションピースの第２の板部材２６を前記柱構成材に固定するために使用されるボルト５４（図１）の挿通を許す。
【００４７】
次に、図６、図８及び図９を参照すると、各柱構成材１０，１２に各エレクションピース１４，１６を取り付ける取付構造５６の１つの例が示されている。
【００４８】
１の例に係る取付構造５６は、前記エレクションピースの第２の板部材２６に設けられた複数のボルト穴５２と、各ボルト穴５２に通されるボルト５４とを含む。
【００４９】
取付構造５６は、さらに、複数（図示の例では４つ）の管状のインサート５８を含む。これらのインサート５８は、各柱構成材１０，１２を構成するコンクリートＣ中に埋設され、前記柱構成材の互いに隣接する２つの側面２０にそれぞれ開放又は開口している。図示の例では、４つのインサート５８のうちの２つが、各柱構成材１０，１２の互いに隣接する両側面２０の一方と平行に伸び、他の２つが他方の側面２０と平行に伸びている。４つのインサート５８の開口はそれぞれ各エレクションピース１４，１６の第２の板部材２６の４つのボルト穴５２と整合可能であるように配置されている。各インサート５８にはその内周面に各ボルト５４が螺合可能であるねじ溝６０が設けられている。
【００５０】
取付構造５６によれば、各エレクションピース１４，１６の第２の板部材２６の各ボルト穴５２にボルト５４を通し、該ボルトを各インサート５８のねじ溝６０にねじ込むことにより、各柱構成材１０，１２の両側面２０に第２の板部材２６を固定することができ、これにより、各柱構成材１０，１２に各エレクションピース１４，１６を取り付けることができる。また、ねじ込まれたボルト５４は、上方の柱構成材１２の建て込みの完了後、これをインサート５８から抜き取ることにより、各エレクションピース１４，１６を前記柱構成材から取り外すことができる。取り外されたエレクションピース１４，１６は再使用に供することができる。
【００５１】
４つのインサート５８は、前記柱構成材の内部すなわちコンクリートＣ中において連結部材６２（図６、図７）を介して互いに連結されたものとすることができる。図示の連結部材６２はアングル鋼材からなり前記柱構成材内をその軸線方向へ伸びている。連結部材６２は各インサート５８のアンカーの役割を果たす。なお、符号６４及び６６はそれぞれ各柱構成材のコンクリートＣ中に埋設された主筋及びフープ筋を示す。また、符号６８は、上下の両柱構成材から伸びる前記主筋相互を連結するための管状の継手を示す。
【００５２】
各インサート５８は、図６に示す例に代えて、図８に示すように、前記柱構成材の内部において互いに反対方向へ湾曲して伸びる先端部７０を有するものとすることができる。先端部７０はインサート５８のアンカーの役割を果たす。
【００５３】
さらに、図６及び図７に示す例に代えて、図９に示すように、前記柱構成材の２つの側面の一方に開放する１つのインサート５８及び他方に開放する１つのインサート５８が、前記柱構成部材の内部において互いに連通しているものとすることができる。これによれば、両インサート５８の連通部が各インサート５８のアンカーの役割を果たす。
【００５４】
次に、図１０−図１２に第２の例に係るエレクションピース１４，１６を示す。図１０、図１１及び図１２に示すエレクションピース１４，１６は、それぞれ、図１、図４及び図５に示すエレクションピース１４，１６に対応する平面形状を有する。
【００５５】
前記第２の例に係るエレクションピース１４，１６は、前記第１の例に係るエレクションピースと同様に第１の板部材２４と第２の板部材２６とを有する。しかし、前記第２の例に係る各エレクションピース１４，１６は、その第１の部材２４の一部７３と第２の板部材２６とが、柱構成材１０，１２の互いに隣接する２つの側面２０の交差角度に等しい角度で交差する２つの面３３を規定する点において、前記第１の例に係るエレクションピースと構成を異にする。
【００５６】
より具体的には、前記第２の例に係る各エレクションピース１４，１６の第２の板部材２６は平板からなり、また、第１の板部材２４は山形の板（図１０及び図１１）又は平板（図１２）からなる。なお、図１０に示すエレクションピースと、図１１に示す例とは、前記山形板の折れ曲がり角度においてのみ相違する。
【００５７】
図１０及び図１１に示す各エレクションピース１４，１６は、前記平板（第２の板部材２６）がその側縁７２において前記山形の板（第１の板部材２４）の一部、すなわち前記山形の板を構成する２つの板部７３，７４の内の一方の板部７３の表面に溶接され、前記山形の板の外角部３６の近傍を該外角部に沿って伸びている。また、図１２に示すエレクションピース１４，１６にあっては、前記平板（第２の板部材２６）がその側縁７２において前記平板（第１の板部材２４）の一部、すなわち前記平板を仮想的に二分して得られる２つの板部７３，７４の内の一方の板部７３の表面に溶接され、板部７３に直交している。前記平板（第２の板部材２６）と前記山形の板（第１の板部材２４）の一部とのなす角度は、前記第１の例におけると同様、各柱構成材１０，１２の横断面形状、より詳細には互いに隣接する２つの側面がなす角度に応じて、該角度と同一に設定される。
【００５８】
また、前記第２の例においては、第１の板部材２４の一部７３及び第２の板部材２６のそれぞれに、これらが規定する面３３に直交する複数の（図示の例では２つ）のボルト穴５２が設けられている。さらに、各エレクションピース１４，１６は、第１の例におけると同様、第１の板部材２４と第２の板部材２６とに固定された複数（２つ）の補強リブ４９（図１０及び図１１）、あるいは１の補強リブ（図１２）を有することが望ましい。
【００５９】
前記第２の例に係る各エレクションピース１４，１６を各柱構成材１０，１２に取り付けるための取付構造（図示せず）は、前記第２の例に係る各エレクションピース１４，１６のボルト穴５２と、各ボルト穴５２に通されるボルト５４と、前記第１の例に係るエレクションピースの取付構造におけると同一の複数のインサート５８とにより構成される。
【００６０】
この取付構造によれば、各エレクションピース１４，１６の第１及び第２の板部材２４，２６の各ボルト穴５２にボルト５４を通し、該ボルトを各インサート５８のねじ溝６０にねじ込むことにより、各柱構成材１０，１２の両側面２０に第１の板部材の一部７３と第２の板部材２６とを固定することができ、これにより、各柱構成材１０，１２に各エレクションピース１４，１６を取り付けることができる。各柱構成材１０，１２に取り付けられた各エレクションピース１４，１６の第１の板部材２４の他の一部７４は、上柱構成材１２の下柱構成材１０に対する前記位置の調整のための外力の導入部及び調整装置１８の取付部として機能する。また、ねじ込まれたボルト５４は、上方の柱構成材１２の建て込みの完了後、これをインサート５８から抜き取ることにより、各エレクションピース１４，１６を前記柱構成材から取り外すことができる。取り外されたエレクションピース１４，１６は再使用に供することができる。
【符号の説明】
【００６１】
１０，１２  柱構成材
１４，１６  エレクションピース
２０  柱構成材の側面
２１  梁構成材
２４  エレクションピースの第１の板部材
２６  エレクションピースの第２の板部材
３４  エレクションピースの第２の板部材を構成する板部
４９  補強リブ
５２  ボルト穴
５４  ボルト
５６  補強構造
５８  インサート
６０  インサートのねじ溝
７３、７４ エレクションピースの第１の板部材を構成する板部
【図１】
0005982374.tif 000002
【図２】
0005982374.tif 000003
【図３】
0005982374.tif 000004
【図４】
0005982374.tif 000005
【図５】
0005982374.tif 000006
【図６】
0005982374.tif 000007
【図７】
0005982374.tif 000008
【図８】
0005982374.tif 000009
【図９】
0005982374.tif 000010
【図１０】
0005982374.tif 000011
【図１１】
0005982374.tif 000012
【図１２】
0005982374.tif 000013